(57)【要約】  ３相高圧配電線の各所の相を随時検出し管理することができる配電線相管理支援方法、及び配電線相管理支援システムを提供する。３相配電線２の１相に所定のパルス電流を課電し、３相配電線２の複数箇所において３相配電線２を構成する各線の電流を監視し、複数箇所毎に、各線のうちパルス電流が検出された線の相を特定する。
2017199346.tif 000002
【特許請求の範囲】
【請求項１】
３相配電線の１相に所定のパルス電流を課電し、
前記３相配電線の複数箇所において前記３相配電線を構成する各線の電流を監視し、前記複数箇所毎に、前記各線のうち前記パルス電流が検出された線の相を特定する、
配電線相管理支援方法。
【請求項２】
異なる基本周波数を有する複数種の前記パルス電流を時系列で課電する毎に、前記各線のうち前記パルス電流が検出された線の相を特定する、
請求項１に記載の配電線相管理支援方法。
【請求項３】
前記３相配電線のうちの第１相に前記パルス電流を課電する第１ステップと、
前記３相配電線の複数箇所において前記３相配電線を構成する各線の電流を監視し、前記複数箇所毎に、前記各線のうち前記パルス電流が検出された線の相を前記第１相として特定する第２ステップと、
前記３相配電線のうちの第２相に前記パルス電流を課電する第３ステップと、
前記３相配電線の複数箇所において前記各線の電流を監視し、前記複数箇所毎に、前記各線のうち前記パルス電流が検出された線の相を前記第２相として特定する第４ステップと、
前記３相配電線のうちの第３相に前記パルス電流を課電する第５ステップと、
前記３相配電線の複数箇所において前記各線の電流を監視し、前記複数箇所毎に、前記各線のうち前記パルス電流が検出された線の相を前記第３相として特定する第６ステップと、
を有する、
請求項１に記載の配電線相管理支援方法。
【請求項４】
異なる基本周波数を有する複数種の前記パルス電流を時系列で課電する毎に、前記第１ステップから前記第６ステップまでのステップを繰り返し実施する、
請求項３に記載の配電線相管理支援方法。
【請求項５】
前記３相配電線のうちの第１相に前記パルス電流を課電する第１ステップと、
前記３相配電線の複数箇所において前記３相配電線を構成する各線の電流を監視し、前記複数箇所毎に、前記各線のうち前記パルス電流が検出された線の相を前記第１相として特定する第２ステップと、
前記３相配電線のうちの第２相に前記パルス電流を課電する第３ステップと、
前記３相配電線の複数箇所において前記各線の電流を監視し、前記複数箇所毎に、前記各線のうち前記パルス電流が検出された線の相を前記第２相として特定する第４ステップと、
前記複数箇所毎に、前記各線のうち前記第１相及び前記第２相として特定されなかった線の相を第３相として特定する第５ステップと、
を有する、
請求項１に記載の配電線相管理支援方法。
【請求項６】
異なる基本周波数を有する複数種の前記パルス電流を時系列で課電する毎に、前記第１ステップから前記第５ステップまでのステップを繰り返し実施する、
請求項５に記載の配電線相管理支援方法。
【請求項７】
３相配電線の各相に所定のパルス電流を課電するパルス課電装置と、
前記３相配電線の複数箇所に設けられ、前記３相配電線を構成する各線の電流を監視し、前記パルス電流を検出する複数のパルス検出装置と、
前記パルス課電装置から前記３相配電線の１相に前記パルス電流を課電させ、前記複数箇所毎に、前記各線のうち前記パルス検出装置によって前記パルス電流が検出された線の相を特定する制御装置と、
を備える、
配電線相管理支援システム。
【請求項８】
前記制御装置は、
前記パルス課電装置から異なる基本周波数を有する複数種の前記パルス電流を時系列で課電させる毎に、前記各線のうち前記パルス検出装置によって前記パルス電流が検出された線の相を特定する、
請求項７に記載の配電線相管理支援システム。
【請求項９】
前記制御装置は、
前記パルス課電装置から前記３相配電線の第１相に前記パルス電流を課電させ、前記複数箇所毎に、前記各線のうち前記パルス検出装置によって前記パルス電流が検出された線の相を前記第１相として特定し、
前記パルス課電装置から前記３相配電線の第２相に前記パルス電流を課電させ、前記複数箇所毎に、前記各線のうち前記パルス検出装置によって前記パルス電流が検出された線の相を前記第２相として特定し、
前記パルス課電装置から前記３相配電線の第３相に前記パルス電流を課電させ、前記複数箇所毎に、前記各線のうち前記パルス検出装置によって前記パルス電流が検出された線の相を前記第３相として特定する、
請求項７又は請求項８に記載の配電線相管理支援システム。
【請求項１０】
前記制御装置は、
前記パルス課電装置から前記３相配電線の第１相に前記パルス電流を課電させ、前記複数箇所毎に、前記各線のうち前記パルス検出装置によって前記パルス電流が検出された線の相を前記第１相として特定し、
前記パルス課電装置から前記３相配電線の第２相に前記パルス電流を課電させ、前記複数箇所毎に、前記各線のうち前記パルス検出装置によって前記パルス電流が検出された線の相を前記第２相として特定し、
前記複数箇所毎に、前記各線のうち前記第１相及び前記第２相として特定されなかった線の相を第３相として特定する、
請求項７又は請求項８に記載の配電線相管理支援システム。
【請求項１１】
前記パルス課電装置は、変電設備の出力端に設けられた第１開閉器の入力端に設けられている、
請求項７に記載の配電線相管理支援システム。
【請求項１２】
前記パルス課電装置は、変電所建屋内に設けられている、
請求項７に記載の配電線相管理支援システム。
【請求項１３】
前記パルス課電装置は、前記第１開閉器の筐体内に設けられている、
請求項７に記載の配電線相管理支援システム。
【請求項１４】
前記パルス検出装置は、前記第１開閉器よりも下流の第２開閉器の筐体内に設けられている、
請求項１１から請求項１３の何れか一項に記載の配電線相管理支援システム。
【発明の詳細な説明】
【技術分野】
【０００１】
本発明は、配電線相管理支援方法、及び配電線相管理支援システムに関する。
【背景技術】
【０００２】
３相高圧配電線経路においては、電力品質確保の観点から、３相の配電線に対して均等に変圧器を設置する必要がある。一般に、３相高圧配電線経路は、他の配電線経路との立体交差や、都市計画法に基づく地中配線、あるいは経路屈曲部等において３相の配電線に予期せぬ捻架箇所が生じる。従来、３相高圧配電線経路においては、配電線経路の各部の相を台帳管理しているが、数万ｋｍに及ぶ３相高圧配電線経路の全区間において正確に相管理するのは困難である。また、配電線の施工や設計の際に随時台帳を再構築しなければならず、３相高圧配電線経路の相管理に手間が掛かる。【０００３】
特許文献１には、配電線経路の複数相の各々に異なる信号を供給する信号発生器を設置し、変圧器よりも下流に設置されるスマートメータに備えられた信号弁別器で信号を検知することで、スマートメータの接続相を識別する技術が開示されている。
【先行技術文献】
【特許文献】
【０００４】
【特許文献１】特開２０１０−１５６６９４号公報
【発明の概要】
【発明が解決しようとする課題】
【０００５】
しかしながら、上記従来技術では、スマートメータの接続相を検知することを目的としたものであり、３相高圧配電線経路の全域における相管理を前提としたものではない。すなわち、信号弁別器を具備していないスマートメータの相情報を得ることは出来ないため、３相高圧配電線経路の全域における相管理が出来ない。また、変圧器を通過可能な周波数、すなわち、１Ｈｚ〜６０Ｈｚ程度の低周波数成分を有する信号を用いているため、商用電源の周波数との識別が困難である。また、検出用の信号を商用電力から除去するのが困難であるため、電力品質が低下する可能性がある。【０００６】
本発明は、上記に鑑みてなされたものであって、３相高圧配電線の各所の相を随時検出し管理することができる配電線相管理支援方法、及び配電線相管理支援システムを提供する。
【課題を解決するための手段】
【０００７】
上述した課題を解決し、目的を達成するために、本発明の配電線相管理支援方法は、３相配電線の１相に所定のパルス電流を課電し、前記３相配電線の複数箇所において前記３相配電線を構成する各線の電流を監視し、前記複数箇所毎に、前記各線のうち前記パルス電流が検出された線の相を特定する。【０００８】
本発明の望ましい態様として、異なる基本周波数を有する複数種の前記パルス電流を時系列で課電する毎に、前記各線のうち前記パルス電流が検出された線の相を特定する。【０００９】
本発明の望ましい態様として、前記３相配電線のうちの第１相に前記パルス電流を課電する第１ステップと、前記３相配電線の複数箇所において前記３相配電線を構成する各線の電流を監視し、前記複数箇所毎に、前記各線のうち前記パルス電流が検出された線の相を前記第１相として特定する第２ステップと、前記３相配電線のうちの第２相に前記パルス電流を課電する第３ステップと、前記３相配電線の複数箇所において前記各線の電流を監視し、前記複数箇所毎に、前記各線のうち前記パルス電流が検出された線の相を前記第２相として特定する第４ステップと、前記３相配電線のうちの第３相に前記パルス電流を課電する第５ステップと、前記３相配電線の複数箇所において前記各線の電流を監視し、前記複数箇所毎に、前記各線のうち前記パルス電流が検出された線の相を前記第３相として特定する第６ステップと、を有する。【００１０】
本発明の望ましい態様として、異なる基本周波数を有する複数種の前記パルス電流を時系列で課電する毎に、前記第１ステップから前記第６ステップまでのステップを繰り返し実施する。【００１１】
本発明の望ましい態様として、前記３相配電線のうちの第１相に前記パルス電流を課電する第１ステップと、前記３相配電線の複数箇所において前記３相配電線を構成する各線の電流を監視し、前記複数箇所毎に、前記各線のうち前記パルス電流が検出された線の相を前記第１相として特定する第２ステップと、前記３相配電線のうちの第２相に前記パルス電流を課電する第３ステップと、前記３相配電線の複数箇所において前記各線の電流を監視し、前記複数箇所毎に、前記各線のうち前記パルス電流が検出された線の相を前記第２相として特定する第４ステップと、前記複数箇所毎に、前記各線のうち前記第１相及び前記第２相として特定されなかった線の相を第３相として特定する第５ステップと、を有する。【００１２】
本発明の望ましい態様として、異なる基本周波数を有する複数種の前記パルス電流を時系列で課電する毎に、前記第１ステップから前記第５ステップまでのステップを繰り返し実施する。【００１３】
上述した課題を解決し、目的を達成するために、本発明の配電線相管理支援システムは、３相配電線の各相に所定のパルス電流を課電するパルス課電装置と、前記３相配電線の複数箇所に設けられ、前記３相配電線を構成する各線の電流を監視し、前記パルス電流を検出する複数のパルス検出装置と、前記パルス課電装置から前記３相配電線の１相に前記パルス電流を課電させ、前記複数箇所毎に、前記各線のうち前記パルス検出装置によって前記パルス電流が検出された線の相を特定する制御装置と、を備える。【００１４】
本発明の望ましい態様として、前記制御装置は、前記パルス課電装置から異なる基本周波数を有する複数種の前記パルス電流を時系列で課電させる毎に、前記各線のうち前記パルス検出装置によって前記パルス電流が検出された線の相を特定する。【００１５】
本発明の望ましい態様として、前記制御装置は、前記パルス課電装置から前記３相配電線の第１相に前記パルス電流を課電させ、前記複数箇所毎に、前記各線のうち前記パルス検出装置によって前記パルス電流が検出された線の相を前記第１相として特定し、前記パルス課電装置から前記３相配電線の第２相に前記パルス電流を課電させ、前記複数箇所毎に、前記各線のうち前記パルス検出装置によって前記パルス電流が検出された線の相を前記第２相として特定し、前記パルス課電装置から前記３相配電線の第３相に前記パルス電流を課電させ、前記複数箇所毎に、前記各線のうち前記パルス検出装置によって前記パルス電流が検出された線の相を前記第３相として特定する。【００１６】
本発明の望ましい態様として、前記制御装置は、前記パルス課電装置から前記３相配電線の第１相に前記パルス電流を課電させ、前記複数箇所毎に、前記各線のうち前記パルス検出装置によって前記パルス電流が検出された線の相を前記第１相として特定し、前記パルス課電装置から前記３相配電線の第２相に前記パルス電流を課電させ、前記複数箇所毎に、前記各線のうち前記パルス検出装置によって前記パルス電流が検出された線の相を前記第２相として特定し、前記複数箇所毎に、前記各線のうち前記第１相及び前記第２相として特定されなかった線の相を第３相として特定する。【００１７】
本発明の望ましい態様として、前記パルス課電装置は、変電設備の出力端に設けられた第１開閉器の入力端に設けられている。【００１８】
本発明の望ましい態様として、前記パルス課電装置は、変電所建屋内に設けられている。【００１９】
本発明の望ましい態様として、前記パルス課電装置は、前記第１開閉器の筐体内に設けられている。【００２０】
本発明の望ましい態様として、前記パルス検出装置は、前記第１開閉器よりも下流の第２開閉器の筐体内に設けられている。
【発明の効果】
【００２１】
本発明によれば、３相高圧配電線の各所の相を随時検出し管理することができる配電線相管理支援方法、及び配電線相管理支援システムを提供することができる。
【図面の簡単な説明】
【００２２】
【図１】図１は、実施形態１に係る配電線相管理支援システムが適用される配電系統の一例を示す図である。
【図２】図２は、実施形態１に係る配電線相管理支援システムの一構成例を示す図である。
【図３】図３は、実施形態１に係る配電線相管理支援システムの図２とは異なる一構成例を示す図である。
【図４】図４は、実施形態１に係る配電線相管理支援装置のハードウェア構成を示す図である。
【図５】図５は、パルス課電装置が３相高圧配電線に課電するパルス電流の波形例を示す図である。
【図６】図６は、パルス検出装置が検出するパルス電流の波形例を示す図である。
【図７】図７は、実施形態１に係る配電線相管理支援システムの機能的な構成を示す機能ブロック図である。
【図８】図８は、データベースサーバに格納される配電線相管理情報の一例を示す図である。
【図９】図９は、実施形態１に係る第１配電線相管理情報表示画面の一例を示す図である。
【図１０】図１０は、実施形態１に係る第２配電線相管理情報表示画面の一例を示す図である。
【図１１】図１１は、実施形態１に係る配電線相管理支援方法、及び配電線相管理支援システムにおける配電線相管理支援処理フローの一例を示すフローチャートである。
【図１２】図１２は、実施形態１に係る配電線相管理支援方法、及び配電線相管理支援システムにおける配電線相管理支援処理フローの図１１とは異なる一例を示すフローチャートである。
【図１３】図１３は、実施形態２に係る第１配電線相管理情報表示画面の一例を示す図である。
【図１４】図１４は、実施形態２に係る配電線相管理支援方法、及び配電線相管理支援システムにおける配電線相管理支援処理フローの一例を示すフローチャートである。
【図１５】図１５は、実施形態２に係る配電線相管理支援方法、及び配電線相管理支援システムにおける配電線相管理支援処理フローの図１４とは異なる一例を示すフローチャートである。
【発明を実施するための形態】
【００２３】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００２４】
（実施形態１）
図１は、実施形態１に係る配電線相管理支援システムが適用される配電系統の一例を示す図である。図１に示す配電系統は、変電所Ｔ１，Ｔ２，・・・，Ｔ７、開閉器Ｓ１からＳ１８、及び分散型電源設備Ｄ１，Ｄ２，・・・，Ｄ７を含む。なお、図１に示す例において、３相高圧配電線経路は実線で示し、有線または無線による通信経路は破線で示している。
【００２５】
変電所Ｔ１，Ｔ２，・・・，Ｔ７は、３相高圧配電線に電力を供給している。また、３相高圧配電線には、開閉器Ｓ１，Ｓ２，・・・，Ｓ１８が設けられ、これらの各開閉器Ｓ１，Ｓ２，・・・，Ｓ１８によって３相高圧配電線が複数の区間に区分されている。分散型電源設備Ｄ１，Ｄ２，・・・，Ｄ７は、これらの区間の何れかにおいて３相高圧配電線に連系されている。なお、本実施形態に係る配電線相管理支援システムは、分散型電源設備Ｄ１，Ｄ２，・・・，Ｄ７が３相高圧配電線に連系されていない配電系統に適用することも可能であるが、本実施形態に係る配電線相管理支援システムが適用される配電系統としては、大規模太陽光発電（メガソーラー）システムや大規模風力発電システム等の大規模分散型電源設備が連系される３相高圧配電系統を想定している。
【００２６】
図１に示す配電系統の構成において、配電自動化システム４は、例えば運転制御センター３に設置されており、各開閉器Ｓ１，Ｓ２，・・・，Ｓ１８の開閉状態、各区間毎の充停電状態等の配電系統に関わる各設備を常時監視する。また、配電自動化システム４は、例えば、配電系統に事故等が発生した場合に、各開閉器Ｓ１，Ｓ２，・・・，Ｓ１８を制御して配電経路を自動設定すると共に、各開閉器Ｓ１，Ｓ２，・・・，Ｓ１８の開閉状態、各区間の充停電状態等を含む情報を出力する機能を有している。
【００２７】
図２は、実施形態１に係る配電線相管理支援システムの一構成例を示す図である。図２に示す例において、３相高圧配電線（３相配電線）２には、変電所１構内の変電所建屋１０に配備された変電設備１１からｒ相、ｓ相、ｔ相の３相高圧電力が供給される。変電所１の３相高圧電力の出力端には、開閉装置２１を含み構成される開閉器（第１開閉器）２０が設けられている。３相高圧配電線２の所定箇所ａ，ｂ，・・・，ｎ，・・・には、それぞれ開閉装置２１−ａ，２１−ｂ，・・・，２１−ｎ，・・・を含み構成される開閉器（第２開閉器）２０−ａ，２０−ｂ，・・・，２０−ｎ，・・・が設けられている。３相高圧配電線２は、これら開閉器（第１開閉器）２０、開閉器（第２開閉器）２０−ａ，２０−ｂ，・・・，２０−ｎ，・・・によって、複数の区間３０に区分されている。なお、本実施形態において、各区間３０における捻架箇所の有無は不明であるものとする。
【００２８】
本実施形態に係る配電線相管理支援システム１００は、変電所１構内の変電所建屋１０に設けられたパルス課電装置４０と、開閉器（第２開閉器）２０−ａ，２０−ｂ，・・・，２０−ｎ，・・・の筐体内部に設けられたパルス検出装置５０−ａ，５０−ｂ，・・・，５０−ｎ，・・・と、運転制御センター３の配電自動化システム４の一部として組み込まれ、パルス課電装置４０及びパルス検出装置５０−ａ，５０−ｂ，・・・，５０−ｎ，・・・を制御する配電線相管理支援装置（制御装置）５とを備えている。
【００２９】
本実施形態では、パルス課電装置４０を変電所１構内の変電所建屋１０に設け、パルス検出装置５０−ａ，５０−ｂ，・・・，５０−ｎ，・・・を開閉器（第２開閉器）２０−ａ，２０−ｂ，・・・，２０−ｎ，・・・の筐体内部に設ける構成としている。これにより、耐候性に優れた配電線相管理支援システム１００を得ることができる。
【００３０】
図３は、実施形態１に係る配電線相管理支援システムの図２とは異なる一構成例を示す図である。図３に示す例では、パルス課電装置４０を開閉器（第１開閉器）２０の筐体内部に設ける構成としている。このような構成においても、図２に示す構成と同様に、耐候性に優れた配電線相管理支援システム１００ａを得ることができる。
【００３１】
図４は、実施形態１に係る配電線相管理支援装置のハードウェア構成を示す図である。配電線相管理支援装置５は、例えばコンピュータ等の情報処理端末であり、処理部５１、記憶部５２、通信部５３、入力部５４、及び表示部５５を備え、各部がバス５６を介してデータを送受信可能なように構成される。処理部５１は、所定のメモリを介して各部間のデータの受け渡しを行うと共に、配電線相管理支援装置５全体の制御を行う構成部であり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。記憶部５２は、処理部５１からデータを記憶したり、記憶したデータを読み出したりする構成部であり、例えば、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の不揮発性記憶装置によって実現される。通信部５３は、パルス課電装置４０及びパルス検出装置５０−ａ，５０−ｂ，・・・，５０−ｎ，・・・と通信を行う構成部であり、例えば、ＮＩＣ（Ｎｅｔｗｏｒｋ  Ｉｎｔｅｒｆａｃｅ  Ｃａｒｄ）等によって実現される。入力部５４は、オペレータがデータや指示を入力する構成部であり、例えば、キーボードやマウス、タッチパネル等によって実現される。表示部５５は、処理部５１からの指示によりデータを表示する構成部であり、例えば、液晶ディスプレイ（ＬＣＤ：Ｌｉｑｕｉｄ  Ｃｒｙｓｔａｌ  Ｄｉｓｐｌａｙ）等によって実現される。
【００３２】
パルス課電装置４０は、配電線相管理支援装置５からの制御指令に基づき、３相高圧配電線２の何れか１相（ｒ相、ｓ相、あるいはｔ相）に所定のパルス電流を課電する。
【００３３】
図５は、パルス課電装置が３相高圧配電線に課電するパルス電流の波形例を示す図である。図５に示すパルス電流は、基本周波数ｆ、波高値Ｉの矩形波信号である。パルス電流の基本周波数ｆは、ここでは、例えば１００［Ｈｚ］程度から数十［ｋＨｚ］程度までの周波数範囲であるものとする。このパルス電流の基本周波数ｆは、後述するパルス検出装置５０−ａ，５０−ｂ，・・・，５０−ｎ，・・・によって３相高圧配電線２における商用電源との分離が容易であり、且つ、高調波が輻射ノイズとして放出され難い周波数であるのが好ましい。なお、このパルス電流の基本周波数ｆにより本発明が限定されるものではない。
【００３４】
パルス検出装置５０−ａ，５０−ｂ，・・・，５０−ｎ，・・・は、配電線相管理支援装置５からの制御指令に基づき、３相高圧配電線２を構成する各線の電流を監視し、パルス課電装置４０によって３相高圧配電線２に重畳されたパルス電流を検出する。そして、パルス電流を検出した線の情報をパルス電流検出情報として配電線相管理支援装置５に出力する。
【００３５】
図６は、パルス検出装置が検出するパルス電流の波形例を示す図である。パルス検出装置５０−ａ，５０−ｂ，・・・，５０−ｎ，・・・は、例えば、パルス電流の基本周波数ｆを中心周波数とするバンドパスフィルタを備えているのが好ましい。これにより、パルス課電装置４０によって３相高圧配電線２に重畳されたパルス電流の基本周波数成分を抽出することができる。この場合、図６に示すように、バンドパスフィルタによって商用電源と分離されると共に、高調波成分が除去された略正弦波形となる。なお、図６に示すパルス電流の波高値ｉ（＜Ｉ）は、パルス検出装置５０−ａ，５０−ｂ，・・・，５０−ｎ，・・・によって検出可能な値であるのが好ましい。すなわち、図５に示すパルス課電装置４０によって３相高圧配電線２に課電されるパルス電流の波高値Ｉは、パルス検出装置５０−ａ，５０−ｂ，・・・，５０−ｎ，・・・によって検出される際に、パルス検出装置５０−ａ，５０−ｂ，・・・，５０−ｎ，・・・によって検出可能な値となるような大きさに設定されているのが好ましい。なお、これらパルス課電装置４０によって３相高圧配電線２に課電される、図５に示すパルス電流の波高値Ｉ、及び、パルス検出装置５０−ａ，５０−ｂ，・・・，５０−ｎ，・・・によって検出される、図６に示すパルス電流の波高値ｉ（＜Ｉ）により本発明が限定されるものではない。
【００３６】
パルス検出装置５０−ａ，５０−ｂ，・・・，５０−ｎ，・・・が、パルス課電装置４０によって３相高圧配電線２に重畳されたパルス電流の基本波成分を検出することで、後段の配電線相管理支援装置５によって、３相高圧配電線２上の所定箇所ａ，ｂ，・・・，ｎ，・・・における各線の相を特定することができる。以下、パルス検出装置５０−ａ，５０−ｂ，・・・，５０−ｎ，・・・が設置される３相高圧配電線２上の所定箇所ａ，ｂ，・・・，ｎ，・・・を、「相検出点ａ，ｂ，・・・，ｎ，・・・」ともいう。
【００３７】
また、パルス検出装置５０−ａ，５０−ｂ，・・・，５０−ｎ，・・・は、検出値に対して閾値が設けられ、検出値が閾値を超えた場合に、当該検出値が閾値を超えた線の情報をパルス電流検出情報として配電線相管理支援装置５に送信する。なお、パルス検出装置５０−ａ，５０−ｂ，・・・，５０−ｎ，・・・に設けられる閾値は、図６に示すパルス電流波形の波高値に対して設けられていても良いし、図６に示すパルス電流波形の平均値あるいは実効値等に対して設けられていても良い。このパルス検出装置５０−ａ，５０−ｂ，・・・，５０−ｎ，・・・によって検出されるパルス電流の検出手法により本発明が限定されるものではない。
【００３８】
なお、本実施形態において、パルス課電装置４０は、基本周波数ｆが異なる複数種のパターンのパルス電流を３相高圧配電線２に課電することが可能な構成であっても良い。また、パルス検出装置５０−ａ，５０−ｂ，・・・，５０−ｎ，・・・は、複数種のパターンのパルス電流の基本周波数ｆに対応したバンドパスフィルタを備えた構成であっても良い。このような構成にすれば、パルス電流の基本周波数ｆを変更して後述する配電線相管理支援処理を実施することで、例えば３相高圧配電線２に負荷側から混入したノイズや外来ノイズ等の影響を排除することができ、相検出点ａ，ｂ，・・・，ｎ，・・・における相検出精度を向上することができる。
【００３９】
図７は、実施形態１に係る配電線相管理支援システムの機能的な構成を示す機能ブロック図である。
【００４０】
配電線相管理支援装置（制御装置）５には、本実施形態に係る配電線相管理支援システム１００，１００ａが適用される配電系統の情報が配電系統情報として配電自動化システム４から入力される。この配電系統情報としては、例えば、配電線経路情報、開閉器設置位置情報等が含まれる。
【００４１】
データベースサーバ６は、上述した配電線相管理支援装置３と同様のハードウェア構成を有し、例えば、配電線相管理支援装置５と共に運転制御センター３に設置されている。このデータベースサーバ６には、パルス検出装置５０−ａ，５０−ｂ，・・・，５０−ｎ，・・・から出力されたパルス電流検出情報と、配電自動化システム４から入力される配電系統情報とが関連付けられ、配電線相管理情報として格納される。ここで、配電線相管理情報とは、従来の相管理台帳に相当するものであり、後述する配電線相管理支援処理によって更新される。
【００４２】
図８は、データベースサーバに格納される配電線相管理情報の一例を示す図である。配電線相管理情報としては、図８に示すように、例えば、パルス検出装置５０−ａ，５０−ｂ，・・・，５０−ｎ，・・・が設けられた開閉器（第２開閉器）２０−ａ，２０−ｂ，・・・，２０−ｎ，・・・の設置箇所ａ，ｂ，・・・，ｎ，・・・、すなわち、上述した相検出点ａ，ｂ，・・・，ｎ，・・・における相情報が含まれる。この相情報は、後述する処理において、パルス検出装置５０−ａ，５０−ｂ，・・・，５０−ｎ，・・・毎、すなわち、相検出点ａ，ｂ，・・・，ｎ，・・・毎に記憶される。
【００４３】
なお、上述したように、本実施形態では、各区間３０における捻架箇所の有無は不明であるため、開閉器（第２開閉器）２０−ａ，２０−ｂ，・・・，２０−ｎ，・・・の各入出力端子に対し、ｒ相、ｓ相、ｔ相の３相のうち、どの相が接続されているかについては不明である。本実施形態では、図８に示すように、相検出点ａ，ｂ，・・・，ｎ，・・・における３相高圧配電線２の各線は、本実施形態において、便宜上「１」、「２」、「３」の３線で定義され、開閉器（第２開閉器）２０−ａ，２０−ｂ，・・・，２０−ｎ，・・・の第１入出力端子に「１」線が接続され、第２入出力端子に「２」線が接続され、第３入出力端子に「３」線が接続されているものとする。例えば、図８（ａ）に示す例において、開閉器（第２開閉器）２０−ａが設けられた相検出点ａにおける「１」線はｒ相、「２」線はｓ相、「３」線はｔ相であることを示している。また、開閉器（第２開閉器）２０−ｂが設けられた相検出点ｂにおける「１」線はｓ相、「２」線はｔ相、「３」線はｒ相であることを示している。また、開閉器（第２開閉器）２０−ｎが設けられた相検出点ｎにおける「１」線はｒ相、「２」線はｔ相、「３」線はｓ相であることを示している。また、図８（ｂ）に示す例では、後述する配電線相管理支援処理において、相検出点ｂにおける「１」線、「２」線、「３」線の各線の検出結果が「ＮＧ」、すなわち、パルス検出装置５０−ｂにおける検出結果が、例えば３相高圧配電線２に負荷側から混入したノイズや外来ノイズ等の影響を受けたことによるエラーを含んでいることを示している。
【００４４】
図９は、実施形態１に係る第１配電線相管理情報表示画面の一例を示す図である。図１０は、実施形態１に係る第２配電線相管理情報表示画面の一例を示す図である。
【００４５】
図９に示すように、実施形態１に係る第１配電線相管理情報表示画面７１上には、後述する配電線相管理支援処理の対象となる配電線系統図７２と、３相高圧配電線２に課電するパルス電流の基本周波数ｆの選択ボタン（周波数選択ボタン）７３と、配電線相管理支援処理の開始ボタン（処理開始ボタン）７４とが表示される。図９に示す例では、パルス電流の基本周波数をｆ１，ｆ２，ｆ３の３つの中から選択可能な構成を示している。
【００４６】
また、図９に示すように、配電線系統図７２内には、相検出点ａ，ｂ，・・・，ｎ，・・・に対応した相検出点ボタン７５が表示される。この相検出点ボタン７５は、後述する配電線相管理支援処理による相検出結果を表示する第２配電線相管理情報表示画面を表示させる機能を有する。また、この相検出点ボタン７５は、後述する配電線相管理支援処理において、正常に相検出できた場合と、正常に相検出できなかった場合とで、異なる色で表示される構成であっても良い。
【００４７】
配電線相管理支援システム１００，１００ａの管理者（オペレータ）が入力部５４を操作して任意の相検出点ボタン７５を選択すると、図１０に示す第２配電線相管理情報表示画面７６が表示される。この第２配電線相管理情報表示画面７６は、第１配電線相管理情報表示画面７１に重ねて表示されても良いし、第１配電線相管理情報表示画面７１と並べて表示されても良いし、第１配電線相管理情報表示画面７１から第２配電線相管理情報表示画面７６に切り替えて表示されても良い。この第１配電線相管理情報表示画面７１及び第２配電線相管理情報表示画面７６の表示態様により本発明が限定されるものではない。
【００４８】
図１０に示すように、第２配電線相管理情報表示画面７６上には、第１配電線相管理情報表示画面７１上の配電線系統図７２内に表示され、オペレータによって選択された相検出点ボタン７５に対応した相検出点における相検出結果が表示される。図１０（ａ）に示す例では、相検出点ａにおいて、「１」線はｒ相、「２」線はｓ相、「３」線はｔ相であることが検出されたことを示している。図１０（ｂ）に示す例では、相検出点ｂにおいて、例えば３相高圧配電線２に負荷側から混入したノイズや外来ノイズ等の影響を受けたことによって検出結果がエラーとなったことを示している。この場合には、図１０（ｂ）に示すように、「１」線、「２」線、「３」線の各線の検出結果として「ＮＧ」が表示される。なお、第２配電線相管理情報表示画面７６上における各部表示態様はこれに限るものではなく、例えば、「１」線、「２」線、「３」線の各線の検出結果がエラーとなった場合の表示態様としては、「×」を表示する態様であっても良いし、「？」を表示する態様であっても良い。
【００４９】
図１１は、実施形態１に係る配電線相管理支援方法、及び配電線相管理支援システムにおける配電線相管理支援処理フローの一例を示すフローチャートである。まず、図１１に示す配電線相管理支援処理フローの前提条件として、配電線相管理支援装置５に配電自動化システム４からの配電系統情報が通信部５３を介して処理部５１に入力され、記憶部５２に記憶されているものとする。また、配電線相管理支援装置５の記憶部５２には、パルス課電装置４０から３相高圧配電線２に課電する複数種のパルス電流の各基本周波数ｆ１，ｆ２，ｆ３が記憶されているものとする。
【００５０】
オペレータが入力部５４を介して図９に示す第１配電線相管理情報表示画面７１上の周波数選択ボタン７３を操作、すなわち、「ｆ１」、「ｆ２」、「ｆ３」の何れかの周波数選択ボタン７３を選択して、３相高圧配電線２に課電するパルス電流の基本周波数ｆを決定し、配電線相管理支援処理の開始ボタン（処理開始ボタン）７４を選択すると、実施形態１に係る配電線相管理支援方法における配電線相管理支援処理が開始される。
【００５１】
配電線相管理支援処理の開始を指示すると、配電線相管理支援装置５の処理部５１は、記憶部５２に記憶されている配電系統情報に基づき、パルス課電装置４０に対して、３相高圧配電線２の何れか１相（ｒ相、ｓ相、あるいはｔ相）に所定のパルス電流を課電するよう制御指令（パルス電流課電指令）を出力すると共に、パルス検出装置５０−ａ，５０−ｂ，・・・，５０−ｎ，・・・に対して、３相高圧配電線２を構成する全線（ここでは、「１」線、「２」線、「３」線の３線）の電流を監視するよう制御指令（パルス電流監視指令）を出力する（ステップＳ１０１）。このとき、相情報が記憶部５２に記憶されている場合には、当該相情報をリセットする（ステップＳ１０２）。
【００５２】
パルス課電装置４０は、パルス電流課電指令が入力されると、３相高圧配電線２の何れか１相（ｒ相、ｓ相、あるいはｔ相）に所定のパルス電流を課電する。ここでは、パルス課電装置４０は、まず、３相高圧配電線２のｒ相に対し、オペレータによって選択された基本周波数（ｆ１，ｆ２，ｆ３のうちの何れか）のパルス電流を課電する。
【００５３】
パルス検出装置５０−ａ，５０−ｂ，・・・，５０−ｎ，・・・は、パルス電流監視指令が入力されると、３相高圧配電線２を構成する全線（ここでは、「１」線、「２」線、「３」線の３線）の電流を監視し、３相高圧配電線２を構成する各線（ここでは、「１」線、「２」線、「３」線の３線）のうち、検出値が閾値を超えた線の情報を、相検出点ａ，ｂ，・・・，ｎ，・・・におけるパルス電流検出情報として配電線相管理支援装置５に出力する。
【００５４】
配電線相管理支援装置５の処理部５１は、相検出点ａ，ｂ，・・・，ｎ，・・・毎のパルス電流検出情報が入力されると（ステップＳ１０３）、相情報が記憶部５２に記憶されていない相検出点ａ，ｂ，・・・，ｎ，・・・、あるいは、後述する処理において、相情報として「ＮＧ」が記憶された相検出点ａ，ｂ，・・・，ｎ，・・・に対し、パルス検出装置５０−ａ，５０−ｂ，・・・，５０−ｎ，・・・毎に、パルス電流検出情報の判定処理を行う。以下のステップＳ１０４からステップＳ１０８までの処理は、相検出点ａ，ｂ，・・・，ｎ，・・・に設置されたパルス検出装置５０−ａ，５０−ｂ，・・・，５０−ｎ，・・・から出力される出力結果毎に実施されるものとして説明する。
【００５５】
まず、処理部５１は、パルス電流検出情報が存在するか否かを判定する（ステップＳ１０４）。パルス電流検出情報が存在しない場合（ステップＳ１０４；Ｎｏ）、処理部５１は、当該パルス検出装置５０−ａ，５０−ｂ，・・・，５０−ｎ，・・・における検出結果が、例えば３相高圧配電線２に負荷側から混入したノイズや外来ノイズ等の影響を受けたことによるエラーを含んでいるものとして、記憶部５２に相情報を記憶する（ステップＳ１０８）。例えば、相検出点ｂにおける検出結果、すなわち、パルス検出装置５０−ｂにおける検出結果がエラーを含んでいる場合、図８（ｂ）に示すように、相検出点ｂの各線の相情報として「ＮＧ」が記憶される。
【００５６】
パルス電流検出情報が存在する場合（ステップＳ１０４；Ｙｅｓ）、処理部５１は、パルス電流検出情報が複数存在するか否かを判定する（ステップＳ１０５）。パルス電流検出情報が複数存在する場合（ステップＳ１０５；Ｙｅｓ）、処理部５１は、当該パルス検出装置５０−ａ，５０−ｂ，・・・，５０−ｎ，・・・における検出結果がエラーを含んでいるものとして、記憶部５２に相情報を記憶する（ステップＳ１０８）。
【００５７】
パルス電流検出情報が複数存在しない場合（ステップＳ１０５；Ｎｏ）、すなわち、パルス電流検出情報が唯一存在する場合、処理部５１は、パルス電流検出情報が「１」線であるか否かを判定する（ステップＳ１０６）。パルス電流検出情報が「１」線である場合（ステップＳ１０６；Ｙｅｓ）、処理部５１は、当該パルス検出装置５０−ａ，５０−ｂ，・・・，５０−ｎ，・・・に対応する相検出点ａ，ｂ，・・・，ｎ，・・・における「１」線がｒ相であるものとして、記憶部５２に相情報を記憶する（ステップＳ１０８）。
【００５８】
パルス電流検出情報が「１」線でない場合（ステップＳ１０６；Ｎｏ）、処理部５１は、パルス電流検出情報が「２」線であるか否かを判定する（ステップＳ１０７）。パルス電流検出情報が「２」線である場合（ステップＳ１０７；Ｙｅｓ）、処理部５１は、当該パルス検出装置５０−ａ，５０−ｂ，・・・，５０−ｎ，・・・に対応する相検出点ａ，ｂ，・・・，ｎ，・・・における「２」線がｒ相であるものとして、記憶部５２に相情報を記憶する（ステップＳ１０８）。
【００５９】
パルス電流検出情報が「２」線でない場合（ステップＳ１０７；Ｎｏ）、すなわち、パルス電流検出情報が「１」線及び「２」線の何れでもない場合、処理部５１は、当該パルス検出装置５０−ａ，５０−ｂ，・・・，５０−ｎ，・・・に対応する相検出点ａ，ｂ，・・・，ｎ，・・・における「３」線がｒ相であるものとして、記憶部５２に相情報を記憶する（ステップＳ１０８）。
【００６０】
全てのパルス検出装置５０−ａ，５０−ｂ，・・・，５０−ｎ，・・・から出力される出力結果に対して上述したステップＳ１０４からステップＳ１０８までの処理が行われると、続いて、配電線相管理支援装置５の処理部５１は、ｒ相、ｓ相、ｔ相の全ての相に対してパルス電流の課電が終了したか否かを判定する（ステップＳ１０９）。ｒ相、ｓ相、ｔ相の全ての相に対してパルス電流の課電が終了していない場合（ステップＳ１０９；Ｎｏ）、処理部５１は、パルス電流の課電相を変更して（ステップＳ１１０）、ステップＳ１０３からステップＳ１０９までの処理を繰り返し実施する。
【００６１】
ｒ相、ｓ相、ｔ相の全ての相に対してパルス電流の課電が終了している場合（ステップＳ１０９；Ｙｅｓ）、処理部５１は、記憶部５２に記憶された相情報を、図８に示す配電線相管理情報としてデータベースサーバ６に格納すると共に（ステップＳ１１１）、当該配電線相管理情報から、図９に示す第１配電線相管理情報表示画面７１、及び、図１０に示す第２配電線相管理情報表示画面７６を生成し（ステップＳ１１２）、表示部５５に表示して、実施形態１に係る配電線相管理支援処理フローを終了する。
【００６２】
オペレータは、表示部５５に表示された第１配電線相管理情報表示画面７１及び第２配電線相管理情報表示画面７６を参照し、例えば、図１０（ｂ）に示すように、相検出結果が「ＮＧ」、すなわち、例えば３相高圧配電線２に負荷側から混入したノイズや外来ノイズ等の影響を受けたことによって検出結果がエラーとなった相検出点（図１０（ｂ）に示す例では、相検出点ｂ）が存在する場合に、３相高圧配電線２に課電するパルス電流の基本周波数ｆを変更して、再度、上述した配電線相管理支援処理フローを実行する。
【００６３】
上述した実施形態１に係る配電線相管理支援処理フローにより、３相高圧配電線２の各所の相を随時検出し、管理することができる。また、例えば３相高圧配電線２に負荷側から混入したノイズや外来ノイズ等の影響を受けたことによって検出結果がエラーとなった相検出点ａ，ｂ，・・・，ｎ，・・・が存在した場合でも、上述した実施形態１に係る配電線相管理支援処理フローを、３相高圧配電線２に課電するパルス電流の基本周波数ｆを変更して複数回実行することで、エラーを解消することができる。また、上述した配電線相管理支援処理フローを、配電線の施工や設計時、あるいは定期的に実施することで、３相高圧配電線経路の相管理や電力品質の維持が容易となる。
【００６４】
図１２は、実施形態１に係る配電線相管理支援方法、及び配電線相管理支援システムにおける配電線相管理支援処理フローの図１１とは異なる一例を示すフローチャートである。なお、以下の説明では、図１１と同一あるいは同等の記載については、詳細な説明を省略する。
【００６５】
図１２に示す例において、配電線相管理支援装置５の処理部５１は、２相、例えば、ｒ相及びｓ相に対してパルス電流の課電が終了したか否かを判定する（ステップＳ１０９ａ）。ｒ相、ｓ相に対してパルス電流の課電が終了していない場合（ステップＳ１０９ａ；Ｎｏ）、処理部５１は、パルス電流の課電相を変更して（ステップＳ１１０）、ステップＳ１０３からステップＳ１０９ａまでの処理を繰り返し実施する。
【００６６】
ｒ相、ｓ相に対してパルス電流の課電が終了している場合（ステップＳ１０９ａ；Ｙｅｓ）、相検出点ａ，ｂ，・・・，ｎ，・・・における２線の相（ここでは、ｒ相、ｓ相）が特定できる。２線の相が特定できれば、残る１線の相（ここでは、ｔ相）も自ずと特定できる。従って、図１２に示す配電線相管理支援処理フローを用いた場合でも、相検出点ａ，ｂ，・・・，ｎ，・・・における３線分の相を特定可能である。
【００６７】
以上説明したように、実施形態１に係る配電線相管理支援方法は、３相高圧配電線２の各相毎に所定のパルス電流を課電し、３相高圧配電線２の複数の相検出点ａ，ｂ，・・・，ｎ，・・・において３相高圧配電線２を構成する各線の電流を監視し、複数の相検出点ａ，ｂ，・・・，ｎ，・・・毎に、パルス電流が検出された各線の相を特定する。
【００６８】
より具体的には、３相高圧配電線２のうちのｒ相に所定のパルス電流を課電し、３相高圧配電線２の複数の相検出点ａ，ｂ，・・・，ｎ，・・・において３相高圧配電線２を構成する各線の電流を監視し、複数の相検出点ａ，ｂ，・・・，ｎ，・・・毎に、各線のうちパルス電流が検出された線の相をｒ相として特定する。また、３相高圧配電線２のうちのｓ相にパルス電流を課電し、３相高圧配電線２の複数の相検出点ａ，ｂ，・・・，ｎ，・・・において各線の電流を監視し、複数の相検出点ａ，ｂ，・・・，ｎ，・・・毎に、各線のうちパルス電流が検出された線の相をｓ相として特定する。また、３相高圧配電線２のうちのｔ相にパルス電流を課電し、３相高圧配電線２の複数の相検出点ａ，ｂ，・・・，ｎ，・・・において各線の電流を監視し、複数の相検出点ａ，ｂ，・・・，ｎ，・・・毎に、各線のうちパルス電流が検出された線の相をｔ相として特定する。
【００６９】
あるいは、３相高圧配電線２のうちのｒ相に所定のパルス電流を課電し、３相高圧配電線２の複数の相検出点ａ，ｂ，・・・，ｎ，・・・において３相高圧配電線２を構成する各線の電流を監視し、複数の相検出点ａ，ｂ，・・・，ｎ，・・・毎に、各線のうちパルス電流が検出された線の相をｒ相として特定する。また、３相高圧配電線２のうちのｓ相にパルス電流を課電し、３相高圧配電線２の複数の相検出点ａ，ｂ，・・・，ｎ，・・・において各線の電流を監視し、複数の相検出点ａ，ｂ，・・・，ｎ，・・・毎に、各線のうちパルス電流が検出された線の相をｓ相として特定する。そして、複数の相検出点ａ，ｂ，・・・，ｎ，・・・毎に、各線のうちｒ相及びｓ相として特定されなかった線の相をｔ相として特定する。
【００７０】
また、実施形態１に係る配電線相管理支援システム１００，１００ａは、３相高圧配電線２に所定のパルス電流を課電するパルス課電装置４０と、３相高圧配電線２の複数の相検出点ａ，ｂ，・・・，ｎ，・・・に設けられ、３相高圧配電線２を構成する各線の電流を監視し、パルス電流を検出するパルス検出装置５０−ａ，５０−ｂ，・・・，５０−ｎ，・・・と、パルス課電装置４０から３相高圧配電線２の各相にパルス電流を課電させ、複数の相検出点ａ，ｂ，・・・，ｎ，・・・毎に、各線のうちパルス検出装置５０−ａ，５０−ｂ，・・・，５０−ｎ，・・・によってパルス電流が検出された各線の相を特定する配電線相管理支援装置（制御装置）５と、を備える。
【００７１】
より具体的には、配電線相管理支援装置（制御装置）５は、パルス課電装置４０から３相高圧配電線２のｒ相にパルス電流を課電させ、複数の相検出点ａ，ｂ，・・・，ｎ，・・・毎に、各線のうちパルス検出装置５０−ａ，５０−ｂ，・・・，５０−ｎ，・・・によってパルス電流が検出された線の相をｒ相として特定する。また、パルス課電装置４０から３相高圧配電線２のｓ相にパルス電流を課電させ、複数の相検出点ａ，ｂ，・・・，ｎ，・・・毎に、各線のうちパルス検出装置５０−ａ，５０−ｂ，・・・，５０−ｎ，・・・によってパルス電流が検出された線の相をｓ相として特定する。また、パルス課電装置４０から３相高圧配電線２のｔ相にパルス電流を課電させ、複数の相検出点ａ，ｂ，・・・，ｎ，・・・毎に、各線のうちパルス検出装置５０−ａ，５０−ｂ，・・・，５０−ｎ，・・・によってパルス電流が検出された線の相をｔ相として特定する。
【００７２】
あるいは、配電線相管理支援装置（制御装置）５は、パルス課電装置４０から３相高圧配電線２のｒ相にパルス電流を課電させ、複数の相検出点ａ，ｂ，・・・，ｎ，・・・毎に、各線のうちパルス検出装置５０−ａ，５０−ｂ，・・・，５０−ｎ，・・・によってパルス電流が検出された線の相をｒ相として特定する。また、パルス課電装置４０から３相高圧配電線２のｓ相にパルス電流を課電させ、複数の相検出点ａ，ｂ，・・・，ｎ，・・・毎に、各線のうちパルス検出装置５０−ａ，５０−ｂ，・・・，５０−ｎ，・・・によってパルス電流が検出された線の相をｓ相として特定する。そして、複数の相検出点ａ，ｂ，・・・，ｎ，・・・毎に、各線のうちｒ相及びｓ相として特定されなかった線の相をｔ相として特定する。
【００７３】
これにより、３相高圧配電線２の各所の相を随時検出し管理することができる。また、例えば３相高圧配電線２に負荷側から混入したノイズや外来ノイズ等の影響を受けたことによって検出結果がエラーとなった相検出点ａ，ｂ，・・・，ｎ，・・・が存在した場合でも、上述した実施形態１に係る配電線相管理支援処理方法、及び配電線相管理支援システム１００，１００ａにおける配電線相管理支援処理フローを、３相高圧配電線２に課電するパルス電流の基本周波数ｆを変更して複数回実行することで、エラーの発生を抑制することができる。また、上述した配電線相管理支援処理フローを、配電線の施工や設計時、あるいは定期的に実施することで、３相高圧配電線経路の相管理や電力品質の維持が容易となる。
【００７４】
さらに、実施形態１に係る配電線相管理支援システム１００は、パルス課電装置４０を、変電設備１１の出力端に設けられた開閉器（第１開閉器）２０の入力端に設けている。このパルス課電装置４０を変電所１構内の変電所建屋１０に設け、パルス検出装置５０−ａ，５０−ｂ，・・・，５０−ｎ，・・・を開閉器（第２開閉器）２０−ａ，２０−ｂ，・・・，２０−ｎ，・・・の筐体内部に設ける構成とすることで、耐候性に優れた配電線相管理支援システム１００を得ることができる。
【００７５】
また、実施形態１に係る配電線相管理支援システム１００ａは、パルス課電装置４０を開閉器（第１開閉器）２０の筐体内部に設ける構成とすることで、パルス課電装置４０を変電所１構内の変電所建屋１０に設けた場合と同様に、耐候性に優れた配電線相管理支援システム１００ａを得ることができる。
【００７６】
（実施形態２）
図１３は、実施形態２に係る第１配電線相管理情報表示画面の一例を示す図である。図１４は、実施形態２に係る配電線相管理支援方法、及び配電線相管理支援システムにおける配電線相管理支援処理フローの一例を示すフローチャートである。なお、実施形態２に係る配電線相管理支援システムが適用される配電系統、配電線相管理支援システムの構成、配電線相管理支援装置のハードウェア構成、パルス課電装置が３相高圧配電線２に課電するパルス電流の波形、パルス検出装置が検出するパルス電流の波形、配電線相管理支援システムの機能的な構成を示す機能ブロック、データベースサーバに格納される配電線相管理情報、及び第２配電線相管理情報表示画面については、上述した実施形態１と同様であるので、ここでの重複する説明は省略する。
【００７７】
図１３に示すように、実施形態２に係る第１配電線相管理情報表示画面７１ａ上には、後述する配電線相管理支援処理の対象となる配電線系統図７２と、配電線相管理支援処理の開始ボタン（処理開始ボタン）７４とが表示される。
【００７８】
本実施形態では、後述する配電線相管理支援処理において、配電線相管理支援装置５の処理部５１は、パルス課電装置４０から３相高圧配電線２に課電するパルス電流の基本周波数ｆを変更する構成としている。このため、本実施形態では、必ずしもパルス電流の基本周波数ｆの選択ボタン（周波数選択ボタン）７３（図９参照）が表示されなくても良い。
【００７９】
以下、実施形態２係る配電線相管理支援処理フローについて説明する。なお、実施形態１に係る配電線相管理支援処理フローと同一の処理については省略する。
【００８０】
オペレータが入力部５４を介して図９に示す第１配電線相管理情報表示画面７１上の配電線相管理支援処理の開始ボタン（処理開始ボタン）７４を選択すると、実施形態２に係る配電線相管理支援方法における配電線相管理支援処理が開始される。ここでは、パルス課電装置４０は、まず、３相高圧配電線２のｒ相に対し、基本周波数ｆ１のパルス電流を課電する。
【００８１】
ステップＳ１０８において記憶部５２に相情報を記憶した後、続いて、配電線相管理支援装置５の処理部５１は、ｒ相、ｓ相、ｔ相の全ての相に対してパルス電流の課電が終了したか否かを判定し（ステップＳ１０９）、ｒ相、ｓ相、ｔ相の全ての相に対してパルス電流の課電が終了している場合（ステップＳ１０９；Ｙｅｓ）、処理部５１は、記憶部５２に記憶された複数種のパルス電流の各基本周波数ｆ１，ｆ２，ｆ３によるフローが終了したか否かを判定する（ステップＳ１１３）。
【００８２】
記憶部５２に記憶された複数種のパルス電流の各基本周波数ｆ１，ｆ２，ｆ３によるフローが終了していない場合（ステップＳ１１３；Ｎｏ）、処理部５１は、パルス課電装置４０から３相高圧配電線２に課電するパルス電流の基本周波数ｆを変更（例えば、基本周波数ｆ１から基本周波数ｆ２あるいは基本周波数ｆ３に変更）して（ステップＳ１１４）、ステップＳ１０３からステップＳ１１３までの処理を繰り返し実施する。
【００８３】
記憶部５２に記憶された複数種のパルス電流の各基本周波数ｆ１，ｆ２，ｆ３によるフローが終了している場合（ステップＳ１１３；Ｙｅｓ）、処理部５１は、記憶部５２に記憶された相情報を、図８に示す配電線相管理情報としてデータベースサーバ６に格納すると共に（ステップＳ１１１）、当該配電線相管理情報から、図１３に示す第１配電線相管理情報表示画面７１ａ、及び、図１０に示す第２配電線相管理情報表示画面７６を生成し（ステップＳ１１２）、表示部５５に表示して、実施形態２に係る配電線相管理支援処理フローを終了する。
【００８４】
上述した実施形態２に係る配電線相管理支援処理フローを実行することで、オペレータを介することなく、基本周波数ｆが異なる複数種のパターンのパルス電流（上述した例では、基本周波数ｆ１，ｆ２，ｆ３のパルス電流）を３相高圧配電線２に課電することができる。これにより、実施形態１に係る配電線相管理支援処理フローよりも相検出点ａ，ｂ，・・・，ｎ，・・・における相検出精度を向上することができる。
【００８５】
図１５は、実施形態２に係る配電線相管理支援方法、及び配電線相管理支援システムにおける配電線相管理支援処理フローの図１４とは異なる一例を示すフローチャートである。なお、以下の説明では、図１４と同一あるいは同等の記載については、詳細な説明を省略する。
【００８６】
図１５に示す例において、配電線相管理支援装置５の処理部５１は、２相、例えば、ｒ相及びｓ相に対してパルス電流の課電が終了したか否かを判定する（ステップＳ１０９ａ）。ｒ相、ｓ相に対してパルス電流の課電が終了していない場合（ステップＳ１０９ａ；Ｎｏ）、処理部５１は、パルス電流の課電相を変更して（ステップＳ１１０）、ステップＳ１０３からステップＳ１０９ａまでの処理を繰り返し実施する。
【００８７】
ｒ相、ｓ相に対してパルス電流の課電が終了している場合（ステップＳ１０９ａ；Ｙｅｓ）、相検出点ａ，ｂ，・・・，ｎ，・・・における２線の相（ここでは、ｒ相、ｓ相）が特定できる。２線の相が特定できれば、残る１線の相（ここでは、ｔ相）も自ずと特定できる。従って、図１５に示す配電線相管理支援処理フローを用いた場合でも、相検出点ａ，ｂ，・・・，ｎ，・・・における３線分の相を特定可能である。
【００８８】
以上説明したように、実施形態２に係る配電線相管理支援方法、及び配電線相管理支援システム１００，１００ａの配電線相管理支援処理フローを実行することで、オペレータを介することなく、基本周波数ｆが異なる複数種のパターンのパルス電流を３相高圧配電線２に課電することができる。これにより、実施形態１に係る配電線相管理支援処理フローよりも相検出点ａ，ｂ，・・・，ｎ，・・・における相検出精度を向上することができる。
【００８９】
なお、上述した実施形態では、パルス電流の基本波成分を抽出する手法として、例えば、パルス検出装置５０−ａ，５０−ｂ，・・・，５０−ｎ，・・・がパルス電流の基本周波数ｆを中心周波数とするバンドパスフィルタを具備し、パルス検出装置５０−ａ，５０−ｂ，・・・，５０−ｎ，・・・は、バンドパスフィルタを用いて、パルス電流の基本周波数成分を抽出する構成とした、所謂物理的手法を用いた検出手法について説明したが、パルス電流の基本波成分を抽出する手法についてはこれに限るものではない。例えば、パルス検出装置５０−ａ，５０−ｂ，・・・，５０−ｎ，・・・がＣＴ（Ｃｕｒｒｅｎｔ  Ｔｒａｎｓｆｏｒｍｅｒ）センサー（計器用変流器）を具備し、パルス検出装置５０−ａ，５０−ｂ，・・・，５０−ｎ，・・・は、ＣＴセンサーによって計測された各相電流に対してＤＦＴ（Ｄｉｓｃｒｅｔｅ  Ｆｏｕｒｉｅｒ  Ｔｒａｎｓｆｏｒｍ；離散フーリエ変換）処理等のソフトウェア処理を行って、パルス電流の基本波成分を抽出する構成とした、所謂論理的手法を用いた検出手法であっても良い。このように、ソフトウェア処理による論理的手法を用いてパルス電流の基本波成分を抽出する構成とすることで、３相高圧配電線２に課電するパルス電流の周波数を変更する場合や、複数種のパターンのパルス電流を課電可能な構成とする場合等の仕様変更が容易となる。
【符号の説明】
【００９０】
１  変電所
２  ３相高圧配電線（３相配電線）
３  運転制御センター
４  配電自動化システム
５  配電線相管理支援装置（制御装置）
６  データベースサーバ
１０  変電所建屋
１１  変電設備
２０  開閉器（第１開閉器）
２０−ａ，２１−ｂ，・・・，２１−ｎ，・・・  開閉器（第２開閉器）
２１，２１−ａ，２０−ｂ，・・・，２０−ｎ，・・・  開閉装置
３０  区間
４０  パルス課電装置
５０−ａ，５０−ｂ，・・・，５０−ｎ，・・・  パルス検出装置
５１  処理部
５２  記憶部
５３  通信部
５４  入力部
５５  表示部
５６  バス
７１，７１ａ  第１配電線相管理情報表示画面
７２  配電線系統図
７３  選択ボタン（周波数選択ボタン）
７４  開始ボタン（処理開始ボタン）
７５  相検出点ボタン
７６  第２配電線相管理情報表示画面
１００，１００ａ  配電線相管理支援システム
ａ，ｂ，・・・，ｎ，・・・  相検出点
Ｔ１，Ｔ２，Ｔ３，Ｔ４，Ｔ５，Ｔ６，Ｔ７  変電所
Ｓ１，Ｓ２，Ｓ３，Ｓ４，Ｓ５，Ｓ６，Ｓ７，Ｓ８，Ｓ９，Ｓ１０，Ｓ１１，Ｓ１２，Ｓ１３，Ｓ１４，Ｓ１５，Ｓ１６，Ｓ１７，Ｓ１８  開閉器
Ｄ１，Ｄ２，Ｄ３，Ｄ４，Ｄ５，Ｄ６，Ｄ７  分散型電源設備
【図１】
2017199346.tif 000003
【図２】
2017199346.tif 000004
【図３】
2017199346.tif 000005
【図４】
2017199346.tif 000006
【図５】
2017199346.tif 000007
【図６】
2017199346.tif 000008
【図７】
2017199346.tif 000009
【図８】
2017199346.tif 000010
【図９】
2017199346.tif 000011
【図１０】
2017199346.tif 000012
【図１１】
2017199346.tif 000013
【図１２】
2017199346.tif 000014
【図１３】
2017199346.tif 000015
【図１４】
2017199346.tif 000016
【図１５】
2017199346.tif 000017
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
３相配電線の各相にそれぞれ異なるタイミングで所定のパルス電流を課電するパルス課電装置と、
前記３相配電線の複数の相検出点に設けられ、複数の前記相検出点毎に、前記３相配電線を構成する各線の電流を監視し、前記パルス電流を検出する複数のパルス検出装置と、
前記相検出点毎に、前記パルス検出装置の検出結果に基づき、前記各線の相判定処理を行う制御装置と、
前記制御装置の相判定処理結果を格納するデータベースサーバと、
を備え、
前記制御装置は、
前記相判定処理によって前記各線の相が特定された前記相検出点における前記相判定処理の結果と前記各線の相が特定されなかった前記相検出点における前記相判定処理の結果とを含む配電線相管理情報を生成し、前記データベースサーバに格納する、
配電線相管理支援システム。
【請求項２】
前記制御装置は、
前記３相配電線の任意の１相に前記パルス電流が課電されているとき、前記各線のうち、前記パルス検出装置によって前記パルス電流が検出された線が存在しないか、又は、前記パルス検出装置によって前記パルス電流が検出された線が複数存在する場合に、当該線の相が特定されなかったものと判定する、
請求項１に記載の配電線相管理支援システム。
【請求項３】
前記パルス課電装置は、
基本周波数が異なる所定数の前記パルス電流を３相配電線の各相にそれぞれ異なるタイミングで課電し、
前記制御装置は、
所定数の前記パルス電流が課電されている全てのタイミングにおいて、前記３相配電線の任意の１相に前記パルス電流が課電されているとき、前記各線のうち、前記パルス検出装置によって前記パルス電流が検出された線が存在しないか、又は、前記パルス検出装置によって前記パルス電流が検出された線が複数存在する場合に、当該線の相が特定されなかったものと判定する、
請求項１に記載の配電線相管理支援システム。
【請求項４】
前記制御装置は、
前記３相配電線の第１相に前記パルス電流が課電されているとき、前記各線のうち、前記パルス検出装置によって前記パルス電流が検出された線が唯一存在する場合に、当該線の相を前記第１相として特定し、
前記３相配電線の第２相に前記パルス電流が課電されているとき、前記各線のうち、前記パルス検出装置によって前記パルス電流が検出された線が唯一存在する場合に、当該線の相を前記第２相として特定し、
前記３相配電線の第３相に前記パルス電流が課電されているとき、前記各線のうち、前記パルス検出装置によって前記パルス電流が検出された線が唯一存在する場合に、当該線の相を前記第３相として特定する、
請求項１から請求項３の何れか一項に記載の配電線相管理支援システム。
【請求項５】
前記制御装置は、
前記３相配電線の第１相に前記パルス電流が課電されているとき、前記各線のうち、前記パルス検出装置によって前記パルス電流が検出された線が唯一存在する場合に、当該線の相を前記第１相として特定し、
前記３相配電線の第２相に前記パルス電流が課電されているとき、前記各線のうち、前記パルス検出装置によって前記パルス電流が検出された線が唯一存在する場合に、当該線の相を前記第２相として特定し、
前記第１相及び前記第２相が特定されている場合に、前記第１相及び前記第２相として特定されなかった線の相を第３相として特定する、
請求項１から請求項３の何れか一項に記載の配電線相管理支援システム。
【請求項６】
前記パルス課電装置は、変電設備の出力端に設けられた第１開閉器の入力端に設けられている、
請求項１に記載の配電線相管理支援システム。
【請求項７】
前記パルス課電装置は、変電所建屋内に設けられている、
請求項１に記載の配電線相管理支援システム。
【請求項８】
前記パルス課電装置は、変電設備の出力端に設けられた第１開閉器の筐体内に設けられている、
請求項１に記載の配電線相管理支援システム。
【請求項９】
前記パルス検出装置は、前記第１開閉器よりも下流の第２開閉器の筐体内に設けられている、
請求項６又は請求項８に記載の配電線相管理支援システム。
【請求項１０】
前記パルス検出装置は、前記変電所建屋よりも下流の開閉器の筐体内に設けられている、
請求項７に記載の配電線相管理支援システム。
【国際調査報告】
2017199346.tif 000018
2017199346.tif 000019
2017199346.tif 000020
2017199346.tif 000021